(57)【要約】      （修正有）【課題】就寝姿勢、座位姿勢に応じて支持高さや支持機能を変換できる枕及び座布団用折り畳み和具を提供する。【解決手段】クッション材を袋内装した２つ折り可能な一対の平坦な支持体１１ａ，１１ｂからなり、その一方の支持体を折り畳み線から中央部をくり抜く中央舌片１１ａー２とそれを取り囲むコ字形状片１１ａ−１とから構成し、使用態様に応じて普通座布団と中央舌片１１ａ−２を残して折り畳み、尻座布団としての機能を兼用する。【選択図】図１
0003170616.tif 000002
【実用新案登録請求の範囲】
【請求項１】
クッション材を袋内装した一対の支持体を中央で折り畳み可能に連結し、使用態様に応じて支持体を重ねて支持体高さや支持機能を調整可能に構成してなることを特徴とする折り畳み和具。
【請求項２】
クッション材を袋内装した一対の平坦な支持体１１ａ，１１ｂを上面中央で折り畳み可能に連結し、その一方の支持体１１ａを折り畳み線１１ｃから中央部をくり抜く中央舌片１１ａ−２とそれを取り囲むコ字形状片１１ａ−１とから構成し、使用態様に応じて一対の平坦な支持体１１ａ，１１ｂを並列してなる普通座布団として用いる一方、中央舌片１１ａ−２を残して、コ字形状片１１ａ−１を折り畳み、他方の支持体１１ｂ上に折り重ね、尻座布団として用いる請求項１記載の座布団用折り畳み和具。
【請求項３】
クッション材を袋内装した一対の高さの異なる支持体２１、２２を通常頭部枕および背枕とし、中央支持体２３で間隔をおいて折り畳み可能に連結し、支持体２１，２３，２２を並列して上向き就寝姿勢用枕とする一方、中央支持体２３を折り畳み線として支持体２１と２２を折り重ね、横向き就寝姿勢用枕とし、支持体高さを調整可能に構成してなる請求項１記載の枕用折り畳み和具。
【考案の詳細な説明】
【技術分野】
【０００１】
本考案は、高さや支持形態等を変換できる機能を備える折り畳み和具に関するものである。
【背景技術】
【０００２】
従来から枕は、就寝途中に不具合を感じても本体の形状、構造等を変えることは困難であったが、既存の枕の一部に形状や中材の異なる複数の枕を直結して接続するもの、また、本体に独立した複数の補助体を連結し、折り畳んで上下に重ねることにより枕の高さ等を変換する二段構造のものがある。他方、座布団は必要なときは２つ折りにして尻に当て尻座布団として用いることが行われるが本来の使用方法でないので行儀の悪い使用方法となり、敬遠される。したがって、姿勢矯正用の特殊座布団が種々提案されている。
【先行技術文献】
【特許文献】
【０００３】
【特許文献１】特開平８−２１４９９８号
【考案の概要】
【考案が解決しようとする課題】
【０００４】
先行枕の二段構造は、いずれも、異なる中材をそれぞれ個別に袋内装し直接連結されており、折り畳んで重ねるとき厚さや形状の相違等のため連結箇所が傾斜して引きつり、重なりに無理を呈している。特に、就寝途中の変換では力を加えて重なりを整える必要など操作が煩雑なうえに、体位変換時や頭の位置が変るとき枕全体が不安定となり型崩れ等の問題があった。
他方、尻座布団と普通座布団は兼用できず、通常両者を用意するということがないので、尻座布団が必要な人は持参しなければならないという欠点があり、二つ折り座布団が提案されている（特許文献１）。
【課題を解決するための手段】
【０００５】
本考案は、高さや支持形態を変更できるようにすれば、通常の枕を特殊枕に、通常の座布団を尻座布団に変更することができることに着目してなされたもので、その要旨はクッション材を袋内装した一対の支持体を中央で折り畳み可能に連結し、使用態様に応じて支持体を重ねて支持体高さや支持機能を調整可能に構成してなる折り畳み和具にある。
【０００６】
本考案を座布団に応用すると、クッション材を袋内装した少なくとも２つ折り可能な一対の平坦な支持体１１ａ，１１ｂを中央で折り畳み可能に連結し、その一方の支持体１１ａを折り畳み線１１ｃから中央部をくり抜く中央舌片１１ａ−１とそれを取り囲むコ字形状片１１ａ−２とから構成し、使用態様に応じて一対の平坦な支持体１１ａ，１１ｂを並列にしてなる普通座布団として用いる一方、中央舌片１１ａ−２を残して折り畳み、コ字形状片１１ａ−２を他方の支持体１１ｂに折り重ね、尻座布団として用いることができる。
【０００７】
、
本考案を枕に応用すると、クッション材を袋内装した一対の高さの異なる支持体２１、２２を通常枕および背枕とし、中央支持体２３で折り畳み可能に連結し、支持体２１，２３，２２を並列して上向き就寝姿勢枕とする一方、中央支持体２３を折り畳み線として支持体２１と２２を折り重ね、横向き就寝姿勢枕とし、支持体高さを調整可能に構成してなる高低兼用の枕として用いることができる。
【考案の効果】
【０００８】
本考案によれば、座布団に応用することにより、通常座布団（図１（ａ）参照）と尻座布団（図１（ｂ）及び（ｄ）参照）とを兼用することができる。また、枕に応用すれば、通常姿勢の就寝時は通常の頭部枕２１に背枕２２を間隔をおいて介在させて（図３ａ１及びａ２参照）使用することができ、寝返りして横向き姿勢で就寝する時は頭を高い位置に保持する（図３ｂ１及びｂ２参照）ことができる。
【図面の簡単な説明】
【０００９】
【図１】本考案の座布団の斜視図で、点線で示すクッション材を袋内装した状態（ａ）と折り重ねた状態（ｂ）を示し、（ｃ）は（ａ）のI−I線断面であり、（ｄ）は図（ｂ）の使用状態を示す斜視図である。
【図２】本考案の枕の斜視図で、通常状態（ａ）と折り重ねた状態（ｂ）を示す。
【図３】図２の通常状態の使用態様を示す斜視図（ａ１）と断面図（ａ２）と、折り畳んだ状態での使用態様を示す斜視図（ｂ１）と断面図（ｂ２）である。
【考案を実施するための形態】
【００１０】
（座布団実施例）
本考案の座布団１０は、図１に示すように、各クッション材１２ａ，１２ｂ，１２ｃをそれぞれ袋に内装し、一対の平坦な支持体１１ａ，１１ｂを形成し、上面中央で折り畳み可能に連結してなり、紐１１ｄで袋から離脱しないように抜け止めする（図１（ａ）参照）と、一対の平坦な支持体１１ａ，１１ｂで平坦な通常座布団が形成される（図１（ｃ）参照）。一方の支持体１１ａは折り畳み線１１ｃから中央部をくり抜く中央舌片１１ａ−２とそれを取り囲むコ字形状片１１ａ−１とから構成され、中央舌片１１ａ−２を残して折り畳み、コ字形状片１１ａ−１を他方の支持体１１ｂに折り重ねると、中央部がくり抜かれた尻座布団を構成するので（図１（ｃ）参照）、図１（ｄ）に示すように、尻、両腿に負担をかけない安楽な尻座布団ができるようになる。
【００１１】
（枕実施例）
本考案の枕２０は、図２に示すように、一対の高さのクッション材２４、２６を袋内装した支持体２１、２２を通常枕および背枕とし、中間クッション材２５を袋内装した中央支持体２３で支持体２１、２２の間隔を保持し、折り畳み可能に連結してなる。支持体２１，２３，２２を並列すると、通常の上向き就寝姿勢のとき、頭部は支持体２１で支持され、肩部は支持体２２で支持され、支持体２３で支持体２１と２２の間隔を維持しつつ連結するので、肩枕を所定位置に配置した枕２０を提供する。一方、中央支持体２３を折り畳み部として支持体２１上に支持体２２を折り重ねるので、折り曲げて重ねる際に袋内装した支持体に傾斜や引きつり等の無理がなく重なって安定して横向き就寝姿勢用枕を形成する。
【００１２】
各支持体の袋に収納するクッション材は、本体とは直接に固着、縫合せず独立させて収納するので、２つ折り時に重なりが崩れることは殆どない。また、各クッション材の材質を変更して季節や好みに応じて使用者の種々の要望に応じることができる。さらに、片手で２つ折りできるので簡単に全体の高さや感触を変えることができる。
【符号の説明】
【００１３】
１０   ２段座布団  
１１ａ−１    コ字形状片
１１ａ−２    中央舌片
２０   ２段枕    
２１    頭部支持体
２２    肩部支持体  
２３    中央支持体
【図１】
0003170616.tif 000003
【図２】
0003170616.tif 000004
【図３】
0003170616.tif 000005